(57)【要約】【課題】短い工期かつ安価に構築でき、外装板となるコンクリートパネルの破損等によっても見栄えを低下させない乾式基礎及びその構築方法を得る。【解決手段】コンクリートパネル１１を外装板に用いた乾式基礎１００であって、建築物の基礎構築地面１３に打設された捨てコンクリート１５と、捨てコンクリート１５上に設置されコンクリートパネル１１の下部を挿入する断面コ字状の下部ランナー１７と、基板上部にボルト挿通穴を有するとともに基板下部にコンクリート定着部材１９ｄが固設されたアンカーブラケット１９とを具備し、下部ランナー１７に、コンクリートパネル１１の下部を挿入して立設し、立設したコンクリートパネル１１の背面１１ｂに、ボルト挿通穴に挿通したボルト２１によってアンカーブラケット１９を螺着し、アンカーブラケット１９のボルト挿通穴より下部に打設したコンクリートによってコンクリート定着部材１９ｄを埋設するベタ基礎を構築した。【選択図】図１
2007217871.tif 000002
【特許請求の範囲】
【請求項１】
コンクリートパネルを外装板として用いた乾式基礎であって、
建築物の基礎構築地面に打設された捨てコンクリートと、
前記コンクリートパネルの連続方向に沿って該捨てコンクリート上に設置され上部開口に前記コンクリートパネルの下部を挿入する断面コ字状の下部ランナーと、
基板上部にボルト挿通穴を有するとともに基板下部にコンクリート定着部材が固設されたアンカーブラケットとを具備し、
前記下部ランナーに、前記コンクリートパネルの下部を挿入して立設し、
該立設したコンクリートパネルの背面に、前記ボルト挿通穴に挿通したボルトによって前記アンカーブラケットを螺着し、
該アンカーブラケットの前記ボルト挿通穴より下部に打設したコンクリートによって前記コンクリート定着部材を埋設するベタ基礎を構築したことを特徴とする乾式基礎。
【請求項２】
前記下部ランナーの両側板に、外方に突出する突出片を突設し、
前記捨てコンクリートと該下部ランナーとの間に、前記下部ランナーを内方に収容し、両側板上縁の傾斜辺部に複数の鋸歯状係合部を形成した段差調整スペーサーを介在させ、
前記下部ランナーの突出片を、該段差調整スペーサーの任意の位置の前記鋸歯状係合部に係合させて、前記捨てコンクリートからの前記下部ランナーの設置高さを調整したことを特徴とする請求項１記載の乾式基礎。
【請求項３】
建築物の基礎における捨てコンクリート上に、上方の開口した断面コ字状の下部ランナーを設置する工程と、
該下部ランナーに、下部を挿入してコンクリートパネルを該下部ランナーの延在方向に沿って連結する工程と、
該コンクリートパネルを、構築基礎の外側から支保工で起立状態に保持する工程と、
コンクリートパネルの背面に、下端にコンクリート定着部材を固設したアンカーブラケットの上部を螺着する工程と、
前記起立したコンクリートパネルの基礎構築側となる内側に、前記アンカーブラケットの螺着部より下方に打設したコンクリートによって、前記コンクリート定着部材を埋設したベタ基礎を構築する工程と、
を含むことを特徴とする乾式基礎の構築方法。
【発明の詳細な説明】
【技術分野】
【０００１】
本発明は、建築物の乾式基礎及びその構築方法に関し、特に、基礎立ち上がり部に建築構造物が直接載らない免震構造物に用いて好適なものである。
【背景技術】
【０００２】
建築物の基礎としては、捨てコンクリートを打設し、その外周に型枠を配置して内側にコンクリートを打設し、コンクリートの硬化後に型枠を除去することで、平坦な耐圧板を構築する所謂ベタ基礎が知られている。また、土台などを設置するための立ち上がり部が必要な場合には、予めベタ基礎の所望の位置に鉄筋を起立させておき、耐圧板構築後に、この鉄筋を囲むように型枠を設け、この型枠内にコンクリートを打設し、コンクリートの硬化後に型枠を除去することで、立ち上がり部を有するベタ基礎を構築することができた。
近年、地震による建築物の揺れを軽減することを目的として、建築物に免震構造を用いることが多くなってきている。免震構造は、地震の揺れが建築物に伝わるのを軽減する仕組みであり、ゴム支柱や振動減衰装置などが用いられている。これら免震構造物では、建築物の基礎を構築し、基礎の内側に免震装置を設置している。
【発明の開示】
【発明が解決しようとする課題】
【０００３】
免震構造物では、基礎立ち上がり部の上に、建築構造物が直接載ることがなく、建築物の荷重が直接基礎に加わることがないため、基礎の簡易化、乾式化を図ることが可能となる。
しかしながら、従来の建築物の基礎は、ベタ基礎としてコンクリートを打設し、その上に型枠を設置、コンクリートを打設して基礎立ち上がり部を構築したり、コンクリートブロックを積み上げて基礎を構築することが多く行なわれている。このような基礎では、型枠の設置やコンクリートの養生などの手間が必要であり、また、型枠を取り外した後のコンクリート表面の仕上げが必要となって、工期が長くなるとともに、施工コストが増大した。
また、乾式の基礎構造には、捨て型枠を用いたものがあり、このような乾式の基礎構造によれば、捨て型枠材が基礎の仕上面も兼ねる。
しかしながら、従来のこの種の乾式基礎では、捨て型枠がコンクリートパネルからなるので、施工工事中、或いは建築物の完成後、コンクリートパネルが破損した場合には、もとどおりのコンクリートパネルとして修復することが困難であり、見栄えの低下する問題を解決することができなかった。また、コンクリートパネルがベタ基礎と一体不可分となるため、リフォームなどにより、基礎外装面のデザインを変えたり、意匠性を向上させることは困難であった。
本発明は上記状況に鑑みてなされたもので、短い工期でかつ安価な施工コストで構築できるとともに、外装板となるコンクリートパネルの破損等によっても見栄えを低下させない乾式基礎及びその構築方法を提供することにある。
【課題を解決するための手段】
【０００４】
上記目的を達成するための本発明に係る請求項１記載の乾式基礎は、コンクリートパネルを外装板として用いた乾式基礎であって、建築物の基礎構築地面に打設された捨てコンクリートと、前記コンクリートパネルの連続方向に沿って該捨てコンクリート上に設置され上部開口に前記コンクリートパネルの下部を挿入する断面コ字状の下部ランナーと、基板上部にボルト挿通穴を有するとともに基板下部にコンクリート定着部材が固設されたアンカーブラケットとを具備し、前記下部ランナーに、前記コンクリートパネルの下部を挿入して立設し、該立設したコンクリートパネルの背面に、前記ボルト挿通穴に挿通したボルトによって前記アンカーブラケットを螺着し、該アンカーブラケットの前記ボルト挿通穴より下部に打設したコンクリートによって前記コンクリート定着部材を埋設するベタ基礎を構築したことを特徴とする。
【０００５】
この乾式基礎では、コンクリートパネルがベタ基礎の型枠を兼ねるとともに、同時にベタ基礎の立ち上がり部を構成する。また、コンクリートパネルがそのままベタ基礎の外装面（立ち上がり部）を構成する。そして、乾式基礎の完成後における破損やリフォームにおいても、コンクリートパネル背面のアンカーブラケットのボルト締結を解除することで、コンクリートパネルをベタ基礎から取り外すことが可能となる。さらに、コンクリートパネルが外装板となるので、予めコンクリートパネルの表面にエンボス模様、リブ模様、或いはタイル仕上げ等の加工を施しておくことができる。
【０００６】
請求項２記載の乾式基礎は、前記下部ランナーの両側板に、外方に突出する突出片を突設し、前記捨てコンクリートと該下部ランナーとの間に、前記下部ランナーを内方に収容し、両側板上縁の傾斜辺部に複数の鋸歯状係合部を形成した段差調整スペーサーを介在させ、前記下部ランナーの突出片を、該段差調整スペーサーの任意の位置の前記鋸歯状係合部に係合させて、前記捨てコンクリートからの前記下部ランナーの設置高さを調整したことを特徴とする。
【０００７】
この乾式基礎では、比較的水平レベル精度の低い捨てコンクリート上であっても、段差調整スペーサーの任意の鋸歯状係合部に突出片を係合させて下部ランナーを高精度にレベル調整することができる。
【０００８】
請求項３記載の乾式基礎の構築方法は、建築物の基礎における捨てコンクリート上に、上方の開口した断面コ字状の下部ランナーを設置する工程と、該下部ランナーに、下部を挿入してコンクリートパネルを該下部ランナーの延在方向に沿って連結する工程と、該コンクリートパネルを、構築基礎の外側から支保工で起立状態に保持する工程と、コンクリートパネルの背面に、下端にコンクリート定着部材を固設したアンカーブラケットの上部を螺着する工程と、前記起立したコンクリートパネルの基礎構築側となる内側に、前記アンカーブラケットの螺着部より下方に打設したコンクリートによって、前記コンクリート定着部材を埋設したベタ基礎を構築する工程と、を含むことを特徴とする。
【０００９】
この乾式基礎の構築方法では、コンクリートパネルがベタ基礎の型枠を兼ねるとともに、同時にベタ基礎の立ち上がり部を構成することとなり、脱型工程が全く不要となる。また、支保工を少なくできる。また、コンクリートパネルがそのままベタ基礎の外装面（立ち上がり部）を構成するので、型枠を取り外した後のコンクリートパネル面仕上げを省略できる。そして、コンクリートパネルが外装板となるので、予めコンクリートパネルの表面にエンボス模様、リブ模様、或いはタイル仕上げ等の加工を施しておくことができる。
【発明の効果】
【００１０】
本発明に係る請求項１記載の乾式基礎によれば、下部ランナーに、コンクリートパネルの下部を挿入して立設し、立設したコンクリートパネルの背面に、ボルト挿通穴に挿通したボルトによってアンカーブラケットを螺着し、アンカーブラケットのボルト挿通穴より下部に打設したコンクリートによってコンクリート定着部材を埋設するベタ基礎を構築したので、コンクリートパネルがベタ基礎の型枠を兼ねるとともに、同時にベタ基礎の立ち上がり部を構成することとなり、脱型工程が全く不要となり、工期を大幅に短縮でき、かつ施工コストの削減も可能となる。また、コンクリートパネルがそのままベタ基礎の外装面（立ち上がり部）を構成するので、型枠を取り外した後のコンクリートパネル面仕上げを省略でき、これによっても工期を大幅に短縮でき、施工コストの削減も可能となる。そして、乾式基礎の完成後における破損やリフォームにおいても、コンクリートパネル背面のアンカーブラケットのボルト締結を解除することで、コンクリートパネルをベタ基礎から取り外すことが可能となり、コンクリートパネルの交換を可能にすることができる。さらに、コンクリートパネルが外装板となるので、予めコンクリートパネルの表面にエンボス模様、リブ模様、或いはタイル仕上げ等の加工を施しておくことにより、意匠性を容易かつ安価に向上させることができる。
【００１１】
本発明に係る請求項２記載の乾式基礎によれば、捨てコンクリートと下部ランナーとの間に、段差調整スペーサーを介在させ、下部ランナーの突出片を、段差調整スペーサーの任意の位置の鋸歯状係合部に係合させて、捨てコンクリートからの下部ランナーの設置高さを調整したので、比較的水平レベル精度の低い捨てコンクリート上であっても、段差調整スペーサーの任意の鋸歯状係合部に突出片を係合させて下部ランナーを高精度にレベル調整することができ、捨てコンクリートの不陸にかかわらず、コンクリートパネルを容易かつ高精度に立て込むことができる。
【００１２】
本発明に係る請求項３記載の乾式基礎の構築方法によれば、捨てコンクリート上に下部ランナーを設置し、下部ランナーにコンクリートパネルを起立状態に保持し、コンクリートパネルの背面にアンカーブラケットを螺着し、アンカーブラケットの螺着部より下方に打設したコンクリートによってコンクリート定着部材を埋設したベタ基礎を構築するので、コンクリートパネルがベタ基礎の型枠を兼ねるとともに、同時にベタ基礎の立ち上がり部を構成することとなり、脱型工程が全く不要となり、工期を大幅に短縮でき、かつ施工コストの削減も可能となる。また、支保工を少なくして、容易にかつ高精度な外装板一体型の乾式基礎を構築することができる。また、コンクリートパネルがそのままベタ基礎の外装面（立ち上がり部）を構成するので、型枠を取り外した後のコンクリートパネル面仕上げを省略でき、これによっても工期を大幅に短縮でき、施工コストの削減も可能となる。そして、コンクリートパネルが外装板となるので、予めコンクリートパネルの表面にエンボス模様、リブ模様、或いはタイル仕上げ等の加工を施しておくことにより、意匠性を容易かつ安価に向上させることができる。
【発明を実施するための最良の形態】
【００１３】
以下、本発明に係る乾式基礎及びその構築方法の好適な実施の形態を図面を参照して説明する。
図１は本発明に係る乾式基礎のベタ基礎打設前の縦断面図、図２は本発明に係る乾式基礎のベタ基礎構築後の縦断面図、図３は図２の横断面図、図４は段差調整スペーサーによって不陸が調整された下部ランナー及びコンクリートパネルの斜視図、図５はアンカーブラケットの正面視を（ａ）、側面視を（ｂ）に示した説明図、図６は入隅コーナー用のアンカーブラケットの平面視を（ａ）、側面視を（ｂ）に示した説明図である。
本実施の形態による乾式基礎１００は、乾式基礎パネルとしてコンクリートパネル（押出成形セメント板１１）を、外装板として用いたものである。
【００１４】
乾式基礎１００は、建築物の基礎構築地面１３に打設された捨てコンクリート１５と、押出成形セメント板１１の連続方向に沿って、捨てコンクリート１５上に設置され図４に示す上部開口１７ａに押出成形セメント板１１の下部１１ａを挿入する断面コ字状の下部ランナー１７と、図５，図６に示す基板上部１９ａにボルト挿通穴１９ｂを有するとともに基板下部１９ｃにコンクリート定着部材１９ｄが固設されたアンカーブラケット１９、１９Ａとを具備する。
【００１５】
押出成形セメント板１１は、下部ランナー１７に下部１１ａが挿入されて立設される。この立設された押出成形セメント板１１の背面１１ｂには、ボルト挿通穴１９ｂに挿通したボルト２１によってアンカーブラケット１９、１９Ａが螺着される。押出成形セメント板１１には一般的に押出方向に延在する中空部１１ｃが形成され、ボルト２１はこの中空部１１ｃに設けられたプレートナット２３に螺合される。アンカーブラケット１９のボルト挿通穴１９ｂより下部にはコンクリートが打設され、この打設コンクリートによって図２に示すベタ基礎２５が構築される。なお、図中、２６は、免震装置を示す。
【００１６】
したがって、押出成形セメント板１１の背面１１ｂに螺着されたアンカーブラケット１９は、ボルト２１を表出させた状態で下部のコンクリート定着部材１９ｄのみがベタ基礎２５に埋設されている。つまり、打設コンクリートが硬化し、ベタ基礎２５が構築されることで、押出成形セメント板１１は、コンクリート定着部材１９ｄをベタ基礎２５に埋設したアンカーブラケット１９を介して固定されている。
【００１７】
ここで、捨てコンクリート１５と下部ランナー１７との間には段差調整スペーサー２７が設けられている。段差調整スペーサー２７は、例えば、亜鉛めっき鋼板で形成される。図４に示すように、下部ランナー１７の両側板１７ｂ，１７ｂには、外方に突出する突出片１７ｃが突設される。段差調整スペーサー２７は、下部ランナー１７を内方に収容する。段差調整スペーサー２７は、両側板上縁２７ａ，２７ａの傾斜辺部に、複数の鋸歯状係合部２９が形成されている。下部ランナー１７は、突出片１７ｃを、段差調整スペーサー２７の任意の位置の鋸歯状係合部２９に係合させることで、捨てコンクリート１５からの設置高さが調整されている。つまり、下部ランナー１７が段差調整スペーサー２７の鋸歯状係合部２９に載ることで、捨てコンクリート１５の不陸が調整される。
【００１８】
このように、捨てコンクリート１５と下部ランナー１７との間に、段差調整スペーサー２７を介在させ、下部ランナー１７の突出片１７ｃを、段差調整スペーサー２７の任意の位置の鋸歯状係合部２９に係合させて、捨てコンクリート１５からの下部ランナー１７の設置高さを調整したので、比較的水平レベル精度の低い捨てコンクリート１５上であっても、下部ランナー１７を高精度にレベル調整することができ、捨てコンクリート１５の不陸にかかわらず、押出成形セメント板１１を容易かつ高精度に立て込むことができるようになっている。
【００１９】
上記の乾式基礎１００によれば、下部ランナー１７に、押出成形セメント板１１の下部１１ａを挿入して立設し、立設した押出成形セメント板１１の背面１１ｂに、ボルト挿通穴１９ｂに挿通したボルト２１によってアンカーブラケット１９を螺着し、アンカーブラケット１９のボルト挿通穴１９ｂより下部に打設したコンクリートによってコンクリート定着部材１９ｄを埋設するベタ基礎２５を構築したので、押出成形セメント板１１がベタ基礎２５の型枠を兼ねるとともに、同時にベタ基礎２５の立ち上がり部を構成することとなり、脱型工程が全く不要となり、工期を大幅に短縮でき、かつ施工コストの削減も可能となる。これにより、免震構造のベタ基礎２５を兼ねて基礎構造を構築することが可能となる。
【００２０】
また、押出成形セメント板１１がそのままベタ基礎２５の外装面（立ち上がり部）を構成するので、型枠を取り外した後の押出成形セメント板１１の仕上げを省略でき、これによっても工期を大幅に短縮でき、施工コストの削減も可能となる。
【００２１】
そして、乾式基礎１００の完成後における破損やリフォームにおいても、押出成形セメント板１１のアンカーブラケット１９のボルト締結を解除することで、押出成形セメント板１１をベタ基礎２５から取り外すことが可能となり、押出成形セメント板１１の交換を可能にすることができる。
【００２２】
さらに、押出成形セメント板１１が外装板となるので、予め押出成形セメント板１１の表面にエンボス模様、リブ模様、或いはタイル仕上げ等の加工を施しておくことにより、意匠性を容易かつ安価に向上させることができる。
【００２３】
次に、本発明に係る乾式基礎の構築方法について説明する。
乾式基礎１００を構築するには、先ず、捨てコンクリート１５を打設し、その上に段差調整スペーサー２７を設置し、アンカー３１で固定する。段差調整スペーサー２７に、下部ランナー１７を置き、捨てコンクリート１５の不陸を調整し、その上に押出成形セメント板１１を載せる。
【００２４】
下部ランナー１７に置かれた押出成形セメント板１１の背面１１ｂには、隣接する押出成形セメント板１１、１１を連結するように、図５に示すアンカーブラケット１９が取り付けられる。また、図３に示す入隅部３３には、図６に示す入隅用アンカーブラケット１９Ａが取り付けられる。
【００２５】
押出成形セメント板１１のパネル目地間には、スポンジゴム製のノロ止めパッキン３４が挟み込まれる。また、押出成形セメント板１１の下部１１ａと、下部ランナー１７との隙間には図４に示す塩ビ製の楔３５が挟入される。このように、押出成形セメント板１１の下部１１ａは、楔３５により、クリップ等を使用せずに簡単に行える。次いで、押出成形セメント板１１は、支保工であるパネルサポート材３７で支えられる。そして、基礎パネルとしての押出成形セメント板１１が全て設置された後、図２のようにコンクリートが流し込まれて、ベタ基礎２５が構築される。押出成形セメント板１１は、背面１１ｂに取り付けられたアンカーブラケット１９、１９Ａのコンクリート定着部材１９ｄにより、ベタ基礎２５のコンクリートと固定される。コンクリート硬化後は、パネルサポート材３７を外すことで乾式基礎１００が完成する。
【００２６】
なお、施工中に押出成形セメント板１１が破損した場合、ボルト２１を抜いて表側の土３９を除けば押出成形セメント板１１の交換が可能となる。また、施工中、破損する恐れがある場合には、コンクリート定着部材１９ｄがベタ基礎２５に埋設されたアンカーブラケット１９から、予め押出成形セメント板１１を取り外しておくことで、乾式基礎１００の完成までの間の破損を防ぐことも可能となる。
【００２７】
したがって、この乾式基礎の構築方法によれば、捨てコンクリート１５上に下部ランナー１７を設置し、下部ランナー１７に押出成形セメント板１１を起立状態に保持し、押出成形セメント板１１の背面１１ｂにアンカーブラケット１９を螺着し、アンカーブラケット１９の螺着部より下方に打設したコンクリートによってコンクリート定着部材１９ｄを埋設したベタ基礎２５を構築するので、押出成形セメント板１１がベタ基礎２５の型枠を兼ねるとともに、同時にベタ基礎２５の立ち上がり部を構成することとなり、脱型工程が全く不要となり、工期を大幅に短縮でき、かつ施工コストの削減も可能となる。
【００２８】
また、支保工であるパネルサポート材３７を少なくして、容易にかつ高精度な外装板一体型の乾式基礎１００を構築することができる。また、押出成形セメント板１１がそのままベタ基礎２５の外装面（立ち上がり部）を構成するので、型枠を取り外した後の押出成形セメント板１１の仕上げを省略でき、これによっても工期を大幅に短縮でき、施工コストの削減も可能となる。そして、押出成形セメント板１１が外装板となるので、予め押出成形セメント板１１の表面にエンボス模様、リブ模様、或いはタイル仕上げ等の加工を施しておくことにより、意匠性を容易かつ安価に向上させることができる。
【００２９】
なお、上記の実施の形態では、コンクリートパネルとして押出成形セメント板１１を例に説明を行なったが、これに限らず、コンクリートパネルであれば、プレキャストコンクリートパネル、軽量気泡コンクリートパネル等を用いることも可能である。また、コンクリートパネルの表側にエンボス模様、リブ模様、タイル仕上等行なうことによって意匠性の向上を図ることも可能となる。さらに、本乾式基礎及びその構築方法は、免震構造物の基礎部に限らず、外構（花壇など）にも好適に応用することが可能なものである。
【図面の簡単な説明】
【００３０】
【図１】本発明に係る乾式基礎のベタ基礎打設前の縦断面図である。
【図２】本発明に係る乾式基礎のベタ基礎構築後の縦断面図である。
【図３】図２の横断面図である。
【図４】段差調整スペーサーによって不陸が調整された下部ランナー及びコンクリートパネルの斜視図である。
【図５】アンカーブラケットの正面視を（ａ）、側面視を（ｂ）に示した説明図である。
【図６】入隅コーナー用のアンカーブラケットの平面視を（ａ）、側面視を（ｂ）に示した説明図である。
【符号の説明】
【００３１】
１１…押出成形セメント板（コンクリートパネル）、１１ａ…コンクリートパネルの下部、１３…基礎構築地面、１５…捨てコンクリート、１７…下部ランナー、１７ａ…上部開口、１７ｂ，１７ｂ…下部ランナーの両側板、１７ｃ…突出片、１９…アンカーブラケット、１９ａ…基板上部、１９ｂ…ボルト挿通穴、１９ｃ…基板下部、１９ｄ…コンクリート定着部材、２１…ボルト、２５…ベタ基礎、２７…段差調整スペーサー、２７ａ，２７ａ…両側板上縁、２９…鋸歯状係合部、３７…パネルサポート材（支保工）、１００…乾式基礎
【図１】
2007217871.tif 000003
【図２】
2007217871.tif 000004
【図３】
2007217871.tif 000005
【図４】
2007217871.tif 000006
【図５】
2007217871.tif 000007
【図６】
2007217871.tif 000008